(57)【特許請求の範囲】
【請求項１】
動画を再生する場合の通常の再生レートよりも高速なフレームレートで撮影された画像データを記録再生する画像記録再生装置であって、
前記画像データを動画として再生する際に合成されるフレーム画像の枚数を決定するための動画蓄積期間を設定する動画蓄積期間設定手段と、
前記画像データを静止画として再生する際に合成されるフレーム画像の枚数を決定するための静止画蓄積期間を設定する静止画蓄積期間設定手段と、
前記動画蓄積期間を表わすパラメータと、前記静止画蓄積期間を表わすパラメータとを前記画像データの各フレーム画像に関連付けて付加するパラメータ付加手段と、
前記パラメータ付加手段により各種パラメータが付加された画像データを記録する画像記録手段と、
静止画の記録開始を指示する静止画記録指示手段とを備え、
前記画像記録手段による記録動作中に、前記静止画記録指示手段から前記静止画の記録開始の指示を受け付けることに応じて、前記パラメータ付加手段が、前記静止画の記録開始を示す情報を前記画像データの一部のフレーム画像に関連付けて付加することを特徴とする画像記録再生装置。
【請求項２】
前記パラメータ付加手段は、前記画像データの再生レートを指定するための情報を前記画像データの各フレーム画像に関連付けて付加することを特徴とする請求項１に記載の画像記録再生装置。
【請求項３】
前記画像記録手段によって記録された画像データを再生する再生手段をさらに備え、
前記再生手段は、
前記記録された画像データに付加された前記動画蓄積期間を表わすパラメータに従って合成するフレーム画像の枚数を決定し、決定された枚数に従って再生されたフレーム画像を合成して動画用のフレーム画像を生成する動画フレーム生成手段と、
前記記録された画像データに付加された前記静止画蓄積期間を表わすパラメータに従って、合成するフレーム画像の枚数を決定し、決定された枚数に従って再生されたフレーム画像を合成して静止画用のフレーム画像を生成する静止画フレーム生成手段とを有することを特徴とする請求項１に記載の画像記録再生装置。
【請求項４】
前記静止画フレーム生成手段は、前記記録された画像データに付加された前記静止画の記録開始を示す情報に従って前記静止画用のフレーム画像を生成することを特徴とする請求項３に記載の画像記録再生装置。
【請求項５】
前記動画蓄積期間、前記静止画蓄積期間、及び、前記再生レートを設定するための操作部をさらに有し、前記操作部によってユーザが任意の設定値を指定可能とすることを特徴とする請求項２に記載の画像記録再生装置。
【請求項６】
前記パラメータ付加手段は、複数のパラメータを、前記画像データに含まれる各フレーム画像のブランキング期間、前記画像データのヘッダー、または前記画像データのフッターに付加することを特徴とする請求項１に記載の画像記録再生装置。
【請求項７】
前記パラメータ付加手段は、複数のパラメータを、管理ファイルとして画像データとは別に生成することを特徴とする請求項１に記載の画像記録再生装置。
【請求項８】
動画を再生する場合の通常の再生レートよりも高速なフレームレートで撮影された動画データを記録再生する画像記録再生装置であって、
記録媒体に記録された前記動画データに含まれる複数枚のフレーム画像を合成して表示用のフレーム画像を生成する生成手段と、
前記動画データを静止画として再生する際に合成されるフレーム画像の枚数を決定するための静止画キャプチャ条件を設定する静止画キャプチャ条件設定手段と、
静止画キャプチャの開始を指示する静止画キャプチャ指示手段と、
前記生成手段によって生成された前記表示用のフレーム画像を使った再生動作中に、前記静止画キャプチャの開始の指示を受け付けることに応じて、前記静止画キャプチャ条件設定手段によって設定された静止画キャプチャ条件に従って決定される枚数のフレーム画像を選択して、当該選択された複数枚のフレーム画像の合成によって得られる静止画を記録するよう制御する制御手段とを備えることを特徴とする画像記録再生装置。
【請求項９】
前記制御手段の制御に応じて、前記記録媒体に記録された前記動画データに含まれる複数枚のフレーム画像のうち、前記静止画キャプチャ条件に従って選択されたフレーム画像の少なくとも一部に対して、前記静止画キャプチャのパラメータを付加する静止画キャプチャパラメータ付加手段をさらに有することを特徴とする請求項８に記載の画像記録再生装置。
【請求項１０】
静止画再生指示手段をさらに有し、
前記静止画再生指示手段からの指示を受け付けることに応じて、前記生成手段が、記録媒体に記録された前記動画データから、前記静止画キャプチャ条件に従って決定される枚数のフレーム画像を選択し、合成して、静止画データを生成することを特徴とする請求項８に記載の画像記録再生装置。
【発明の詳細な説明】
【技術分野】
【０００１】
本発明は、画像記録再生装置に関し、特に高速度撮影によって得られた高フレームレートの画像を記録及び再生する技術に関する。
【背景技術】
【０００２】
近年、被写体を撮像して画像データに変換し、当該画像データを記録媒体に記録するデジタルカメラが普及している。かかるデジタルカメラには、静止画撮影を主機能とするデジタルスチールカメラと、動画撮影を主機能とするデジタルビデオカメラとがある。
【０００３】
ところで、近年のデジタルカメラには、静止画撮影機能と動画撮影機能の両者を備えた製品が開発されている。動画と静止画を同時に記録する方法には、動画撮影中に動画の合間の１コマを静止画として記録する方法がある。そのようなデジタルカメラの一例が特許文献１に記載されている。
【０００４】
特許文献１に記載されたデジタルカメラ装置では、動画撮影中に静止画撮影釦が押されると、動画撮影用の撮影モードから静止画撮影用の撮影モードに設定変更され、静止画撮影用の撮影条件のもとで静止画撮影が行われる。このようなデジタルカメラ装置によれば、ユーザは動画撮影中に、シャッターチャンスがあれば静止画撮影を行うことができる。
【０００５】
一方、記録された動画を再生する再生装置において、再生された動画の１コマを静止画としてキャプチャする装置の例が、特許文献２に記載されている。
【０００６】
特許文献２に記載された静止画キャプチャ装置は、表示画面に表示されている再生中の動画のフレーム画像を一時的な記憶装置に記憶させることによって静止画キャプチャを行うものである。また、特許文献２に記載された装置では、フレーム画像を取り込む時間間隔や、記憶装置の容量をユーザが設定することができる。その結果、ユーザがキャプチャしたいと望むフレーム画像を選択的にキャプチャすることができる。
【先行技術文献】
【特許文献】
【０００７】
【特許文献１】特開２００１−１０３３６１号公報
【特許文献２】特開２００１−０５４０５３号公報
【発明の概要】
【発明が解決しようとする課題】
【０００８】
しかしながら、上記特許文献１に記載された方法では、静止画撮影を行う間は動画撮影が中断されるため、記録中の動画にコマ落ちの影響を与えてしまうことになる。
【０００９】
また、上記特許文献２に記載された方法は、あくまで、再生中の動画の１フレームを抜き出すというものである。再生される動画のフレームの間隔が約１／３０秒であるならば、最短でもその間隔まででしか静止画キャプチャが行えない。さらに、特許文献２に記載された方法では、静止画撮影機能を有するデジタルカメラで撮影するときのように、シャッタ速度を可変させることによって得られる長時間撮影や短時間撮影された静止画を得ることもできなかった。
【００１０】
したがって、本発明の目的は、連続した動画として再生できるだけでなく、所望の撮影条件に従った静止画として再生又はキャプチャ可能な画像データを記録することにある。
【課題を解決するための手段】
【００１１】
上記目的を達成するために、本発明の画像記録再生装置は、動画を再生する場合の通常の再生レートよりも高速なフレームレートで撮影された画像データを記録再生する画像記録再生装置であって、前記画像データを動画として再生する際に合成されるフレーム画像の枚数を決定するための動画蓄積期間を設定する動画蓄積期間設定手段と、前記画像データを静止画として再生する際に合成されるフレーム画像の枚数を決定するための静止画蓄積期間を設定する静止画蓄積期間設定手段と、前記動画蓄積期間を表わすパラメータと、前記静止画蓄積期間を表わすパラメータとを前記画像データの各フレーム画像に関連付けて付加するパラメータ付加手段と、前記パラメータ付加手段により各種パラメータが付加された画像データを記録する画像記録手段と、静止画の記録開始を指示する静止画記録指示手段とを備え、前記画像記録手段による記録動作中に、前記静止画記録指示手段から前記静止画の記録開始の指示を受け付けることに応じて、前記パラメータ付加手段が、前記静止画の記録開始を示す情報を前記画像データの一部のフレーム画像に関連付けて付加することを特徴とする。
【００１２】
また、本発明の画像記録再生装置は、動画を再生する場合の通常の再生レートよりも高速なフレームレートで撮影された動画データを記録再生する画像記録再生装置であって、記録媒体に記録された前記動画データに含まれる複数枚のフレーム画像を合成して表示用のフレーム画像を生成する生成手段と、前記動画データを静止画として再生する際に合成されるフレーム画像の枚数を決定するための静止画キャプチャ条件を設定する静止画キャプチャ条件設定手段と、静止画キャプチャの開始を指示する静止画キャプチャ指示手段と、前記生成手段によって生成された前記表示用のフレーム画像を使った再生動作中に、前記静止画キャプチャの開始の指示を受け付けることに応じて、前記静止画キャプチャ条件設定手段によって設定された静止画キャプチャ条件に従って決定される枚数のフレーム画像を選択して、当該選択された複数枚のフレーム画像の合成によって得られる静止画を記録するよう制御する制御手段とを備えることを特徴とする。
【発明の効果】
【００１３】
本発明によれば、連続した動画として再生できるだけでなく、所望の撮影条件に従った静止画として再生又はキャプチャ可能な画像データを記録することができる。
【図面の簡単な説明】
【００１４】
【図１】本発明の第１の実施の形態に係る画像記録再生装置としてのデジタルカメラの概略構成を示すブロック図である。
【図２】図１のデジタルカメラで記録される画像データセットを表した図である。
【図３】本発明の第２の実施の形態に係る画像記録再生装置としてのデジタルカメラの概略構成を示すブロック図である。
【図４】図３のデジタルカメラで記録される画像データセットを表した図である。
【図５】本発明の第３の実施の形態に係る画像記録再生装置の概略構成を示すブロック図である。
【図６】図５の画像記録再生装置で記録される画像データセット及び静止画キャプチャパラメータ、並びに、記録フレーム及び表示フレームの関係を示す図ある。
【図７】図５の画像記録再生装置で静止画キャプチャする際の表示部に表示されるイメージを示す図である。
【図８】本発明の第４の実施の形態に係る画像記録再生装置の概略構成を示すブロック図である。
【図９】図８の画像記録再生装置でキャプチャされた静止画を記録する際の画像データフォーマットの一例を示す図である。
【発明を実施するための形態】
【００１５】
以下、図面を参照しながら、本発明の実施の形態を詳細に説明する。
【００１６】
（第１の実施の形態）
図１は、本発明の第１の実施の形態に係る画像記録再生装置としてのデジタルカメラの概略構成を示すブロック図である。
【００１７】
このデジタルカメラは、記録した動画を再生する際の通常の再生レート（垂直周波数）よりも高速度での撮影が可能であり、また静止画と動画の同時記録が可能である。すなわち、記録中の動画の連続性を維持しつつ、所望の撮影条件に従った静止画のための画像データの記録を行うことができる。図１のデジタルカメラで高速度撮影され、記録された画像データは高フレームレートの画像データとなる。
【００１８】
図２は、図１のデジタルカメラで記録される画像データセットを表した図である。図２は、画像データセットを、横軸を時間ｔとして表した図である。
【００１９】
以下、図１、図２に基づいて第１の実施の形態を説明する。
【００２０】
図１において、デジタルカメラは、記録した動画が再生される際の再生レートよりも高速度で撮影し、静止画と動画の両方の成分を含む画像データの記録を行う。デジタルカメラは、撮像部１０１、フレーム画像生成部１０２、撮影パラメータ付加部１０３、記録部１０４、制御部１０５、操作部１０８を備える。
【００２１】
制御部１０５は、メモリ１０６、ＣＰＵ１０７を備える。操作部１０８は、動画蓄積期間設定部１０９、動画撮影指示部１１０、静止画蓄積期間設定部１１１、静止画撮影指示部１１２、再生レート設定部１１３を備える。
【００２２】
図２に示す動画蓄積期間２０３の１／１００（秒）と、静止画蓄積期間２０４の１／２００（秒）は、動画蓄積期間設定部１０９と静止画蓄積期間設定部１１１において、ユーザにより予め設定されているものとする。また、記録した動画を再生する際にユーザが所望する再生レート２０５も、再生レート設定部１１３において、１／６０（秒）としてユーザにより予め設定されているものとする。ユーザは操作部１０８の各設定部によって、任意の設定値を指定可能である。
【００２３】
ユーザが動画撮影指示部１１０にて動画撮影開始（記録開始）を指示したとき（図２のＡのタイミング）、ＣＣＤ等の撮像素子及び光学系を含む撮像部１０１で光電変換された出力信号が出力される。そして、出力信号は、フレーム画像生成部１０２により、アナログ−デジタル変換され、連続的なフレーム画像に変換される。ここで、撮影レート２０１は、１／１２００（秒）であるとする。
【００２４】
一方、撮影レート２０１（１／１２００秒）と、予め設定されている動画蓄積期間２０３（１／１００秒）と、静止画蓄積期間２０４（１／２００秒）と、再生レート２０５（１／６０秒）は、制御部１０５内のＣＰＵ１０７より撮影パラメータとして発行される。ここで、動画蓄積期間２０３は、動画のシャッター速度に相当する。また、静止画蓄積期間２０４は、静止画のシャッター速度に相当する。
【００２５】
制御部１０５内のＣＰＵ１０７は、メモリ１０６に記憶されているアプリケーションプログラムに従って各種の動作を制御する。
【００２６】
制御部１０５にて発行された各種パラメータは、撮影パラメータ付加部１０３において、フレーム画像生成部１０２から出力された各フレーム画像に関連付けられる。例えば、フレーム画像のブランキング期間にパラメータを重畳する方法が挙げられる。動画蓄積期間２０３と撮影レート２０１とを示すパラメータが付加されたフレーム画像は、記録部１０４において、動画データとして記録される。記録される動画は、動画撮影中に得られた連続する複数枚のフレーム画像（記録フレーム画像２０６）から構成される。
【００２７】
また、動画の記録動作中に、ユーザが静止画撮影指示部１１２にて静止画撮影の開始を指示（静止画記録指示）した場合（図２のＢのタイミング）、静止画の撮影が指示されたことを示す静止画撮影開始フラグ２０２がＣＰＵ１０７より発行される。そして、静止画撮影開始フラグ２０２が、撮影パラメータ付加部１０３において、図２のＢのタイミングで記録されるべきフレーム画像に対する撮影パラメータの一つとして付加される。なお、静止画撮影指示を行った場合でも、動画の記録動作は継続して行われる。
【００２８】
本実施形態では、撮影パラメータを動画の各フレームに関連付ける手段として、ブランキング期間にパラメータを付加する方法を挙げた。それ以外の方法として、動画ファイルのヘッダーまたはフッターに付加したり、もしくは、処理の流れだけを記録している管理ファイルとして画像ファイルとは別に生成するようにしてもよい。
【００２９】
以上のように、本実施の形態の方式では、動画と静止画を同時撮影する際に、高フレームレートで記録されているフレーム画像に、動画蓄積期間２０３と静止画蓄積期間２０４と静止画撮影開始フラグ２０２を撮影パラメータとして関連付けて保存する。
【００３０】
こうすることで、撮影及び記録中の動画に影響を与えることなく静止画記録が行え、かつ静止画と動画とで別々のシャッター速度の設定が可能となった。また、再生レート２０５と撮影レート２０１を共に保存することで、ユーザの意図した再生レート２０５を再生装置（例えば、図３の動画静止画再生フレーム生成部３００）に伝えることが可能になり、かつ再生装置で動画と静止画の復元を可能にすることができる。
【００３１】
ここで、動画蓄積期間と静止画蓄積期間と再生レートはユーザが任意に設定可能である。また、動画蓄積期間と静止画蓄積期間と再生レートはシステムが予め固定としていくつか有していてもよい。
【００３２】
（第２の実施の形態）
次に、本発明の第２の実施の形態について説明する。
【００３３】
図３は、本発明の第２の実施の形態に係る画像記録再生装置としてのデジタルカメラの概略構成を示すブロック図である。また、図４は、図３のデジタルカメラで記録される画像データセットを表した図である。第２の実施の形態は、図１に係る第１の実施の形態のデジタルカメラで撮影した画像データセットから動画フレーム生成と静止画フレーム生成を行うブロックである動画静止画再生フレーム生成部３００等を更に有する装置に関する。図３において、図１と同じ符号を付与した共通の機能ブロックについては説明を省略する。
【００３４】
図３において、動画静止画再生フレーム生成部３００は、静止画動画蓄積期間演算部３０１、動画用のフレーム画像を蓄積処理する動画蓄積処理部３０２、静止画用のフレーム画像を蓄積処置する静止画蓄積処理部３０３を備える。
【００３５】
動画静止画再生フレーム生成部３００にて、デジタルカメラで撮影した画像データセットより再生される動画フレーム３０４と静止画フレーム３０５を生成する一例を示す。
【００３６】
記録部１０４には、図４のように、撮影レート２０１（１／１２００秒）、動画蓄積期間２０３（１／１００秒）、静止画蓄積期間２０４（１／２００秒）、再生レート２０５（１／６０秒）の各パラメータが付加された記録フレーム画像２０６が保存されている。記録フレーム画像２０６は動画として再生できる。なお、一部のフレーム画像には、静止画撮影開始フラグ２０２も付加されているとする。
【００３７】
記録部１０４より、静止画動画蓄積期間演算部３０１はデータを読み出す。データを読み出したら、静止画動画蓄積期間演算部３０１は、ユーザの意図する再生レート２０５が記録フレーム画像の何枚分に相当するのかを示す期間Ａを算出する。図４の例の場合は、１２００／６０＝２０フレームになる。
【００３８】
次に、静止画動画蓄積期間演算部３０１は、２０フレーム区切りで、動画蓄積期間２０３が記録フレーム画像の何枚分に相当するかを示す期間Ｂを算出する。この場合は１２００／１００＝１２フレームになる。
【００３９】
ここで算出された期間Ａ（２０フレーム）毎に、期間Ｂ（１２フレーム）をもとに、動画蓄積処理部３０２にて、連続的に動画フレーム３０４を生成する。生成された動画フレーム３０４は、不図示の表示装置により表示可能となる。
【００４０】
一方、静止画動画蓄積期間演算部３０１は、静止画撮影開始フラグ２０２の存在を検知したら、静止画撮影開始フラグ２０２が関連付けられているフレーム画像を起点として、静止画を演算する期間が記録フレーム画像の何枚分に相当するかを示す期間Ｃを算出する。期間Ｃは、静止画蓄積期間２０４に基づいて算出される。この場合は１２００／２００＝６フレームになる。そして、静止画蓄積処理部３０３が、静止画撮影開始フラグ２０２を基準として、期間Ｃ（６フレーム）に相当する記録フレーム画像から静止画フレーム３０５を生成する。生成された静止画フレーム３０５も、不図示の表示装置により表示可能となる。
【００４１】
以上のように、本実施の形態によれば、記録フレーム画像に付加されたパラメータを元に、記録フレーム画像から動画と静止画をそれぞれ生成して再生することができる。
【００４２】
（第３の実施の形態）
次に、本発明の第３の実施の形態について説明する。
【００４３】
図５は、本発明の第３の実施の形態に係る画像記録再生装置の概略構成を示すブロック図である。図６は、図５の画像記録再生装置で記録される画像データセット及び静止画キャプチャパラメータ、並びに、記録フレーム及び表示フレームの関係を示す図ある。図６は、画像データ及び各フレーム画像に関連付けられるキャプチャパラメータとの関係を、横軸を時間ｔとして表した図である。
【００４４】
図５において、本実施形態の画像記録再生装置は、記録した動画を再生する際の通常の再生レート（垂直周波数）よりも高速度で記録されたフレーム画像の再生が可能である。図５の画像記録再生装置は、記録部１１０１、動画蓄積演算処理部１１０２、表示部（ディスプレイ）１１０３、操作部１１０４、制御部１１０８、静止画キャプチャパラメータ付加部１１１１を備える。
【００４５】
操作部１１０４は、静止画キャプチャ条件設定部１１０５、静止画キャプチャ開始指示部１１０６、動画再生指示部１１０７を備える。制御部１１０８は、メモリ１１０９、ＣＰＵ１１１０を備える。
【００４６】
記録部１１０１には、図６の記録フレーム１２０２のように、動画データ（解像度８０００×４５００）が記録されている。記録フレーム１２０２は、１／１２００（秒）のように高フレームレートの動画データである。また、図１の高速度撮影装置で撮影されるフレーム画像に付加されるような、撮影レート１２０１（この場合１／１２００秒）を示すパラメータが記録フレーム１２０２に関連付けられて保存されている。
【００４７】
一方、静止画キャプチャ速度は、操作部１１０４の静止画キャプチャ条件設定部１１０５で、ユーザによって１／１００（秒）に予め設定されているものとする。また再生画像を表示する表示部１１０３の表示レートは１／６０（秒）とする。
【００４８】
ここで、静止画キャプチャ速度とは、撮影時のシャッター速度とは異なる再生時のシャッター速度、すなわち、擬似的なシャッター速度に相当する。本実施形態の画像記録再生装置では、高フレームレートの動画データを記録し、ディスプレイ等を用いた動画再生を行う際に、再生動作中に表示されている映像に対して再生時のシャッタースピード（静止画キャプチャ速度）を任意に指定して静止画キャプチャを行う。
【００４９】
ユーザが操作部１１０４の動画再生指示部１１０７において、動画の再生を指示する。すると、予め設定されていた静止画キャプチャ速度１２０５（１／１００秒）に従って、動画蓄積演算処理部１１０２において、以下の演算処理が行われる。
【００５０】
即ち、動画蓄積演算処理部１１０２は、撮影レート１２０１と静止画キャプチャ速度１２０５より、記録フレーム１２０２の蓄積期間（１２００／１００＝１２フレーム）を算出する。そして、その期間に応じた記録フレーム１２０２を選択して加算し、表示用となる表示フレーム１２０３を生成する。
【００５１】
生成された表示フレーム１２０３は、表示部１１０３にて、表示レートと表示部１１０３の解像度に合わせて表示される（図６のＡ以降）。続いて、ユーザは再生中の動画に対して、操作部１１０４の静止画キャプチャ条件設定部１１０５より、拡大（２倍ズーム）指示を行う。
【００５２】
静止画キャプチャ条件設定部１１０５は、静止画蓄積時間を定義する静止画キャプチャパラメータを設定する静止画キャプチャ条件設定ユニットとして機能する。
【００５３】
すると、フレーム画像に関連付けられるキャプチャパラメータの一つであるトリミング開始座標（開始Ｘ座標１２０６、開始Ｙ座標１２０７）とトリミング終了座標（終了Ｘ座標１２０８、終了Ｙ座標１２０９）の値が変化する（図６のＢ）。
【００５４】
図７は、図５の画像記録再生装置で静止画キャプチャする際の表示部に表示されるイメージを示す図であり、図５における静止画キャプチャ条件設定部により拡大を指示した際の表示部が表示する表示イメージを表した図である。
【００５５】
図７に示すように、拡大が指示されると、表示イメージ１３００には静止画キャプチャ枠１３０１と静止画キャプチャ速度１３０２が表示される。この場合は、ユーザが拡大や縮小指示をしても表示されている映像は拡大されず、静止画キャプチャ枠１３０１が小さくなったり大きくなったりする。
【００５６】
もちろん、図７のように表示せずに、拡大された部分（トリミング領域）を全画面に表示してもよい。また、拡大する倍率を上げていくと“拡大画像の解像度／表示部１１０３の解像度”が‘１’以下になる場合がある。
【００５７】
これは、デジタルカメラで言うデジタルズームに当たり、画素と画素の間を補間して拡大画像を生成するため、拡大する倍率に比例して画質は劣化してしまう。こうならないように、拡大できる閾値をユーザが予め設定するようにしてもよい。もちろん、閾値を設定せずに、再生装置の画像処理部で画素と画素の間を補間して拡大画像を生成してもよい。
【００５８】
図６のＣにおいて、操作部１１０４の静止画キャプチャ条件設定部１１０５より、ユーザは静止画キャプチャ速度１２０５を１／１００（秒）から１／２００（秒）に変化させる。すると、記録フレーム１２０２の蓄積期間（１２００／２００＝６フレーム）が算出され、その期間に応じた記録フレーム１２０２を選択して加算し、表示フレーム１２０３を生成し、表示レートと表示部１１０３の解像度に合わせて表示される（図７のＣ以降）。
【００５９】
さらに、ユーザは再生中の動画に対して、操作部１１０４の静止画キャプチャ条件設定部１１０５より、右回転指示を行う。すると、フレームに関連付けられるキャプチャパラメータの一つである開始座標（開始Ｘ座標１２０６、開始Ｙ座標１２０７）とトリミング終了座標（終了Ｘ座標１２０８、終了Ｙ座標１２０９）の値と回転角度１２１０が変化する（図６のＤ）。
【００６０】
図６のＥにおいて、ここで初めて、ユーザが操作部１１０４の静止画キャプチャ開始指示部１１０６で静止画キャプチャ開始を指示する。このとき、ＣＰＵ１１１０は、設定された静止画キャプチャ条件に従って決定される枚数のフレーム画像を選択して、選択された複数枚のフレーム画像の合成によって得られる静止画を記録するよう制御する。
【００６１】
すると、静止画キャプチャパラメータ付加部１１１１にて、静止画キャプチャ開始フラグ１２０４と前述にて設定した様々な静止画キャプチャパラメータ及び動画の撮影レートの情報が、記録フレーム１２０２（黒塗りつぶし部分）に付加される。黒塗りつぶし部分の記録フレームは、静止画キャプチャ指示されたタイミングに対応するフレーム画像であって、静止画キャプチャされるフレーム画像群の代表フレームといえる。このとき、各種情報は、静止画としてキャプチャされるフレーム画像の所定のデータ領域に不可視の情報として埋め込まれる。例えば、画像としては表示されない期間であるブランキングに埋め込まれる。
【００６２】
さらに、前述したものと同様の原理で、図６のＦでは、左回転指示が行われる。また、図６のＧでは、連続的な静止画キャプチャ指示が開始される。このように、刻々と変化する静止画キャプチャパラメータ及び動画の撮影レートの情報は、静止画キャプチャパラメータ付加部１１１１にて、それぞれのタイミングで蓄積を開始した記録フレーム１２０２（黒塗りつぶし部分）のブランキングに埋め込まれ保存される。
【００６３】
なお、本実施の形態の方式では、静止画キャプチャ開始フラグ１２０４を代表的なフレーム画像（黒塗りつぶし部分）に関連付けて、そのフレーム画像に埋め込むようにしたが、複数のフレーム画像に関連付けて保存するようにしても良い。例えば、蓄積期間中の全てフレームにフラグを立てていてもよいし、開始と終了のフレームにフラグを立てるようにしてもよい。
【００６４】
また、本実施の形態では、記録フレーム１２０２のブランキングに埋め込む場合を説明したが、キャプチャされた静止画を管理する管理ファイルとして、静止画キャプチャパラメータ及び動画の撮影レートの情報を別に保存するようにしてもよい。
【００６５】
これらの各種静止画キャプチャパラメータは、制御部１１０８にてユーザが設定した静止画キャプチャ条件設定部１１０５を元に発行される。制御部１１０８にはＣＰＵ１１１０が設けられ、メモリ１１０９に記憶されているアプリケーションプログラムに従って各種の動作が制御される。
【００６６】
以上のように、本実施形態の画像記録再生装置によれば、高フレームレートで記録されている動画を再生中に、あたかもデジタルカメラで撮影するように、擬似的なシャッター速度に相当する静止画キャプチャ速度を設定できる。さらに、様々なキャプチャ条件を設定して、静止画キャプチャを行うことができる。すなわち、写真を撮影するような感覚で再生画像から静止画キャプチャすることが可能になる。
【００６７】
また、本実施形態の画像記録再生装置では、再生画像から任意のタイミング、すなわちユーザの所望のシャッターチャンスで静止画キャプチャを行うことが可能になる。また、再生する際に、蓄積時間を任意に変更できることが可能になるので、設定したシャッター速度によるボケ量や、ぶれ量を見てから、改めて所望の設定値で最終的な静止画を決定することができる。また、静止画キャプチャ条件をフレームに関連付けて保存することで、記憶媒体（記録媒体）の節約にも繋がる。
【００６８】
本実施の形態では、静止画キャプチャパラメータとして、静止画キャプチャ速度や座標、回転角度に注目して説明したが、それらに限らない。その他に、静止画キャプチャパラメータとして、色合い、色の濃度、明るさ、コントラスト、といった条件を保存するようにしてもよい。
【００６９】
また、本実施の形態の方式では、静止画キャプチャ条件を１つのパターンしか設定していない。しかし、予め複数の静止画キャプチャ条件を設定しておいて、それら複数の条件を、例えば、テレビの複数のチャンネルに割り当て、テレビのチャンネルを替えるような感覚で、静止画キャプチャ条件を換えながら、静止画キャプチャすることも可能である。
【００７０】
（第４の実施の形態）
次に、本発明の第４の実施の形態について説明する。
【００７１】
図８は、本発明の第４の実施の形態に係る画像記録再生装置の概略構成を示すブロック図である。ここでは、キャプチャした静止画１４０２を保存する処理について説明する。図８の構成は、基本的に図５と同じだが、動画蓄積演算処理部１１０２が静止画蓄積演算処理部１４０１に変わった点と、操作部１１０４が静止画再生指示部１４０３と静止画保存指示部１４０４で構成されている点が図５と異なる。その他のブロックは図５と同じなので説明を省略する。
【００７２】
記録部１１０１には、図６に示すように、動画データとして、記録フレーム１２０２（解像度８０００×４５００）が記録されている。また、高速度撮影装置で撮影された撮影レート１２０１（この場合１／１２００秒）を示すパラメータと、静止画キャプチャした際の静止画キャプチャパラメータとが、記録フレーム１２０２に関連付けられて保存されている。
【００７３】
ユーザによって、操作部１１０４の静止画再生指示部１４０３が押されると、静止画蓄積演算処理部１４０１は、記録部１１０１より記録フレーム１２０２を読み出す。
【００７４】
その際、静止画蓄積演算処理部１４０１は、記録フレーム１２０２に関連付けられて保存されている静止画キャプチャパラメータの一つである静止画キャプチャ開始フラグ１２０４を検出すると、以下の演算処理を行う。即ち、静止画蓄積演算処理部１４０１は、そのフレームに関連付けて保存されている静止画キャプチャ速度１２０５に従って、静止画蓄演算期間を算出する。
【００７５】
静止画蓄積演算処理部１４０１は、静止画キャプチャした静止画を再生、保存する際に、記録フレーム１２０２に関連付けられた静止画キャプチャパラメータと撮影レートとを元に、複数枚のフレーム画像を選択し、合成する枚数を算出する。そして、静止画キャプチャパラメータを元に静止画として生成する。
【００７６】
図６のＥで説明すると、静止画演算期間は１２００／２００＝６フレームになる。算出した期間、静止画蓄積演算処理部１４０１は、加算演算を実行し、その結果の静止画１４０２を表示部１１０３にて表示する（図６のＥの横縞模様で示す表示フレーム）。
【００７７】
ユーザは、表示部１１０３にて表示されている加算合成された静止画を閲覧中に、その静止画を保存しようとした時は、静止画保存指示部１４０４において、静止画保存指示を行う。すると、静止画１４０２は記録部１１０１に静止画ファイルとして別に保存される。
【００７８】
このとき、静止画ファイルの画像フォーマットは、デジタルカメラで静止画を撮影する際に一般的に利用される画像フォーマット、例えば、Ｅｘｉｆ（Ｅｘｃｈａｎｇｅａｂｌｅ  Ｉｍａｇｅ  Ｆｉｌｅ  Ｆｏｒｍａｔ）形式に準拠する。
【００７９】
図９は、図８の画像記録再生装置でキャプチャされた静止画を記録する際の画像データフォーマットの一例を示す図であり、Ｅｘｉｆ形式に準拠したものを表わしている。
【００８０】
図９において、静止画ファイルに設定される情報のうち、ユーザが再生時に静止画キャプチャした静止画データの撮影日時の属性データは、動画の属性データの撮影日時より算出された日時である。また、キャプチャ日時というものがあるが、これはユーザが静止画キャプチャした日時、即ち、静止画ファイルの作成日時を示している。この情報は再生装置が内蔵しているＲＴＣ（Ｒｅａｌ  Ｔｉｍｅ  Ｃｌｏｃｋ）から参照してくる。
【００８１】
ここでは、ファイル作成日時をキャプチャ日時としたが、ユーザが再生時に静止画キャプチャした撮影日時は、動画の属性データの撮影日時より算出された日時としてもよいし、選択できるようにしてもよい。その他の光学的条件は、デジタルカメラが撮影した動画データから参照して保存する、または、静止画キャプチャパラメータに保存しておいて、そこから参照して保存するものとする。
【００８２】
以上のように、本実施の形態の画像記録再生装置によれば、静止画キャプチャして得られた静止画ファイルを、デジタルカメラで撮影したファイル同様のフォーマットで保存することができる。また、再生キャプチャによって得られた静止画ファイルを、あたかもデジタルカメラで静止画撮影したような感覚で、動画データとは独立して保存することができる。また、汎用の画像フォーマットを用いることによって、データの受け渡しが容易に行えるようになる。
【符号の説明】
【００８３】
１０１  撮像部
１０２  フレーム画像生成部
１０３  撮影パラメータ付加部
１０４  記録部
１０５  制御部
１０６  メモリ
１０７  ＣＰＵ
１０８  操作部
１０９  動画蓄積期間設定部
１１０  動画撮影指示部
１１１  静止画蓄積期間設定部
１１２  静止画撮影指示部
１１３  再生レート
３００  動画静止画再生フレーム生成部
３０１  静止画動画蓄積期間演算部
３０２  動画蓄積処理部
３０３  静止画蓄積処理部
３０４  動画フレーム
３０５  静止画フレーム
１１０１  記録部
１１０２  動画蓄積演算処理部
１１０３  表示部
１１０４  操作部
１１０５  静止画キャプチャ条件設定部
１１０６  静止画キャプチャ開始指示部
１１０７  動画再生指示部
１１０８  制御部
１１０９  メモリ
１１１０  ＣＰＵ
１１１１  静止画キャプチャパラメータ付加部
１４０１  静止画蓄積演算処理部
１４０２  静止画
１４０３  静止画再生指示部
１４０４  静止画保存指示部
【図１】
0005241559.tif 000002
【図２】
0005241559.tif 000003
【図３】
0005241559.tif 000004
【図４】
0005241559.tif 000005
【図５】
0005241559.tif 000006
【図６】
0005241559.tif 000007
【図７】
0005241559.tif 000008
【図８】
0005241559.tif 000009
【図９】
0005241559.tif 000010